【手続補正書】
【提出日】平成19年9月6日(2007.9.6)
【手続補正１】
【補正対象書類名】特許請求の範囲
【補正対象項目名】全文
【補正方法】変更
【補正の内容】
【特許請求の範囲】
【請求項１】
被写体を撮像して当該被写体の画像データを取得する撮像手段と、
前記画像データから前記被写体の顔の情報を検出する顔情報検出手段と、
前記検出された顔の情報に基づいて前記撮像手段から前記被写体までの被写体距離を推定する距離推定手段と、
フォーカスレンズを移動させながら前記撮像手段により画像データを取得し、当該画像データに基づいて前記フォーカスレンズの合焦状態を調節するように制御する制御手段とを有し、
前記フォーカスレンズを移動させる範囲を、前記推定された被写体距離及び被写界深度に応じて変化させることを特徴とする撮像装置。
【請求項２】
前記フォーカスレンズを移動させる範囲は、前記推定された被写体距離に合焦するフォーカスレンズ位置を含む範囲であり、前記被写界深度が深いほど広く、前記被写界深度が浅いほど狭いことを特徴とする請求項１記載の撮像装置。
【請求項３】
前記制御手段は、前記フォーカスレンズの動き幅を、前記被写界深度に基づいて制御することを特徴とする請求項１又は２記載の撮像装置。
【請求項４】
被写体を撮像して当該被写体の画像データを取得する撮像手段と、
前記画像データから前記被写体の顔の情報を検出する顔情報検出手段と、
前記検出された顔の情報に基づいて前記撮像手段から前記被写体までの被写体距離を推定する距離推定手段と、
フォーカスレンズを移動させながら前記撮像手段により画像データを取得し、当該画像データに基づいて前記フォーカスレンズの合焦状態を調節するように制御する制御手段とを有し、
前記制御手段は、前記フォーカスレンズの動き幅を前記推定された被写体距離及び被写界深度に応じて変化させることを特徴とする撮像装置。
【請求項５】
前記制御手段は、前記推定された被写体距離に合焦するフォーカスレンズ位置に近いほどフォーカスレンズの動き幅を小さくするように制御することを特徴とする請求項１乃至４のいずれか１項に記載の撮像装置。
【請求項６】
前記制御手段は、前記顔の情報を検出した画像データを取得する際のフォーカスレンズ位置が被写界深度内に入っている場合には、前記フォーカスレンズの合焦状態の調節を実行しないよう制御することを特徴とする請求項１乃至５のいずれか１項に記載の撮像装置。
【請求項７】
前記被写界深度は、前記推定された被写体距離に基づいて演算された被写界深度であることを特徴とする請求項１乃至６のいずれか１項に記載の撮像装置。
【請求項８】
被写体を撮像して取得された画像データから前記被写体の顔の情報を検出する顔情報検出ステップと、
前記検出された顔の情報に基づいて前記撮像手段から前記被写体までの被写体距離を推定する距離推定ステップと、
フォーカスレンズを移動させながら前記撮像手段により画像データを取得し、当該画像データに基づいて前記フォーカスレンズの合焦状態を調節するように制御する制御ステップを有し、
前記フォーカスレンズを移動させる範囲は、前記推定された被写体距離及び被写界深度に対応して変化することを特徴とする撮像方法。
【請求項９】
被写体を撮像して取得された画像データから前記被写体の顔の情報を検出する顔情報検出ステップと、
前記検出された顔の情報に基づいて前記撮像手段から前記被写体までの被写体距離を推定する距離推定ステップと、
フォーカスレンズを移動させながら前記撮像手段により画像データを取得し、当該画像データに基づいて前記フォーカスレンズの合焦状態を調節するように制御する制御ステップを有し、
前記制御ステップでは、前記フォーカスレンズの動き幅を前記推定された被写体距離及び被写界深度に応じて変化させることを特徴とする撮像方法。
【手続補正２】
【補正対象書類名】明細書
【補正対象項目名】００１０
【補正方法】変更
【補正の内容】
【００１０】
上記目的を達成するために、請求項１記載の撮像装置は、被写体を撮像して当該被写体の画像データを取得する撮像手段と、前記画像データから前記被写体の顔の情報を検出する顔情報検出手段と、前記検出された顔の情報に基づいて前記撮像手段から前記被写体までの被写体距離を推定する距離推定手段と、フォーカスレンズを移動させながら前記撮像手段により画像データを取得し、当該画像データに基づいて前記フォーカスレンズの合焦状態を調節するように制御する制御手段とを有し、前記フォーカスレンズを移動させる範囲を、前記推定された被写体距離及び被写界深度に応じて変化させることを特徴とする。
【手続補正３】
【補正対象書類名】明細書
【補正対象項目名】００１１
【補正方法】変更
【補正の内容】
【００１１】
上記目的を達成するために、請求項４記載の撮像装置は、被写体を撮像して当該被写体の画像データを取得する撮像手段と、前記画像データから前記被写体の顔の情報を検出する顔情報検出手段と、前記検出された顔の情報に基づいて前記撮像手段から前記被写体までの被写体距離を推定する距離推定手段と、フォーカスレンズを移動させながら前記撮像手段により画像データを取得し、当該画像データに基づいて前記フォーカスレンズの合焦状態を調節するように制御する制御手段とを有し、前記制御手段は、前記フォーカスレンズの動き幅を前記推定された被写体距離及び被写界深度に応じて変化させることを特徴とする。
【手続補正４】
【補正対象書類名】明細書
【補正対象項目名】００１２
【補正方法】変更
【補正の内容】
【００１２】
上記目的を達成するために、請求項８記載の撮像方法は、被写体を撮像して取得された画像データから前記被写体の顔の情報を検出する顔情報検出ステップと、前記検出された顔の情報に基づいて前記撮像手段から前記被写体までの被写体距離を推定する距離推定ステップと、フォーカスレンズを移動させながら前記撮像手段により画像データを取得し、当該画像データに基づいて前記フォーカスレンズの合焦状態を調節するように制御する制御ステップを有し、前記フォーカスレンズを移動させる範囲は、前記推定された被写体距離及び被写界深度に対応して変化することを特徴とする。
【手続補正５】
【補正対象書類名】明細書
【補正対象項目名】００１３
【補正方法】変更
【補正の内容】
【００１３】
上記目的を達成するために、請求項９記載の撮像方法は、被写体を撮像して取得された画像データから前記被写体の顔の情報を検出する顔情報検出ステップと、前記検出された顔の情報に基づいて前記撮像手段から前記被写体までの被写体距離を推定する距離推定ステップと、フォーカスレンズを移動させながら前記撮像手段により画像データを取得し、当該画像データに基づいて前記フォーカスレンズの合焦状態を調節するように制御する制御ステップを有し、前記制御ステップでは、前記フォーカスレンズの動き幅を前記推定された被写体距離及び被写界深度に応じて変化させることを特徴とする。
【手続補正６】
【補正対象書類名】明細書
【補正対象項目名】００１４
【補正方法】削除
【補正の内容】
【手続補正７】
【補正対象書類名】明細書
【補正対象項目名】００１５
【補正方法】削除
【補正の内容】
【手続補正８】
【補正対象書類名】明細書
【補正対象項目名】００１６
【補正方法】削除
【補正の内容】
【手続補正９】
【補正対象書類名】明細書
【補正対象項目名】００１７
【補正方法】削除
【補正の内容】
【手続補正１０】
【補正対象書類名】明細書
【補正対象項目名】００１８
【補正方法】削除
【補正の内容】
【手続補正１１】
【補正対象書類名】明細書
【補正対象項目名】００１９
【補正方法】削除
【補正の内容】
【手続補正１２】
【補正対象書類名】明細書
【補正対象項目名】００２０
【補正方法】削除
【補正の内容】
【手続補正１３】
【補正対象書類名】明細書
【補正対象項目名】００２１
【補正方法】削除
【補正の内容】